(57)【要約】【課題】利便性に優れる送風装置を提供する。【解決手段】送風装置（１）は、外部に向けて空気を吹き出す吹出口と、吹出口に位置する風向調整部（２０Ｂ）と、吹出口に空気を送風する送風機と、送風機によって送風される空気に対してイオンを放出するイオン発生器と、人感センサと、送風機および風向調整部を制御する制御部と、を備える。風向調整部は、吹出方向が変化するように回動可能に構成される。制御部は、人感センサにより人の存在が感知されない場合に、予め定めた回動量に従い、吹き出される気流の送風範囲が外部の床面（２００ｂ）となるように風向調整部（２０Ｂ）の回動を制御する。【選択図】図８
2016090164.tif 000002
【特許請求の範囲】
【請求項１】
外部に向けて空気を吹き出す吹出口と、
前記吹出口に位置する風向調整部と、
前記吹出口に空気を送風する送風機と、
前記送風機によって送風される空気に対してイオンを放出するイオン発生器と、
人感センサと、
前記送風機および前記風向調整部を制御する制御部と、を備え、
前記風向調整部は、吹出方向が変化するように回動可能に構成され、
前記制御部は、
前記人感センサにより人の存在が感知されない場合に、予め定めた回動量に従い、吹き出される気流の送風範囲が前記外部の床面となるように前記風向調整部の回動を制御する、送風装置。
【請求項２】
前記制御部は、
回動および停止からなる回動動作を繰返すように、前記風向調整部の回動を制御する、請求項１に記載の送風装置。
【請求項３】
前記制御部は、可変である制御量に従い、前記回動動作を繰返すように前記風向調整部の回動を制御する、請求項２に記載の送風装置。
【請求項４】
前記制御量は、前記停止の期間の長さ、回動量、前記風向調整部を介して吹き出される送風量、およびイオン量のうちの少なくとも１つを含む、請求項３に記載の送風装置。
【請求項５】
前記送風量は、繰返される各前記回動動作の停止期間において吹き出される送風量を含む、請求項４に記載の送風装置。
【請求項６】
前記制御部は、予め指定された前記床面の種類に基づき、前記制御量を変化させる、請求項３から５のいずれか１項に記載の送風装置。
【発明の詳細な説明】
【技術分野】
【０００１】
この発明は送風装置に関し、特に、送風方向を変更可能な送風装置に関する。
【背景技術】
【０００２】
従来から送風方向を変更可能な送風装置が数多く実用化されている。例えば、特許文献１（特開２０００−１０７５３０号公報）および特許文献２（特開２０１３−１５０７９５号公報）に記載の空気清浄機が提案されている。
【０００３】
特許文献１の空気清浄機は、風向部材を吹出グリルに着脱自在に設けることにより、局所的な空間に清浄化された空気を供給するように構成される。また、特許文献２の空気清浄装置は、送風手段からの空気を上下方向に対して所定角度で噴出させるルーバの傾斜角度を切り替えるよう構成される。
【先行技術文献】
【特許文献】
【０００４】
【特許文献１】特開２０００−１０７５３０号公報
【特許文献２】特開２０１３−１５０７９５号公報
【発明の概要】
【発明が解決しようとする課題】
【０００５】
ユーザは、送風装置の送風方向について、より柔軟に変化させたいとの要望がある。しかしながら、特許文献１は、送風方向を変化させるためにユーザが風向部材を着脱する必要があり、利便性に優れない。また、特許文献２では、着脱の必要なく送風方向を上下に変化させることができる。しかし、ユーザの存在位置にかかわらず風向きを変化させるから、ユーザに直接に風があたる可能性があり、その場合には、ユーザは、風向を変化させる操作をする必要があり、利便性に優れない。
【０００６】
それゆえに、本発明の目的は、利便性に優れる送風装置を提供することである。
【課題を解決するための手段】
【０００７】
この発明のある局面に従う送風装置は、外部に向けて空気を吹き出す吹出口と、吹出口に位置する風向調整部と、吹出口に空気を送風する送風機と、送風機によって送風される空気に対してイオンを放出するイオン発生器と、人感センサと、送風機および風向調整部を制御する制御部と、を備える。
【０００８】
風向調整部は、吹出方向が変化するように回動可能に構成される。制御部は、人感センサにより人の存在が感知されない場合に、予め定めた回動量に従い、吹き出される気流の送風範囲が前記外部の床面となるように風向調整部の回動を制御する。
【０００９】
好ましくは、制御部は、回動および停止からなる回動動作を繰返すように、風向調整部の回動を制御する。
【００１０】
好ましくは、制御部は、可変である制御量に従い、回動動作を繰返すように風向調整部の回動を制御する。
【００１１】
好ましくは、制御量は、停止の期間の長さ、回動量、風向調整部を介して吹き出される送風量およびイオン量のうちの少なくとも１つを含む。
【００１２】
好ましくは、送風量は、繰返される各回動動作の停止期間において吹き出される送風量を含む。
【００１３】
好ましくは、制御部は、予め指定された床面の種類に基づき、制御量を変化させる。
【発明の効果】
【００１４】
本発明によれば、人感センサにより感知されない場合に、吹き出されるイオンを含んだ気流の送風範囲が床面となるような利便性を有した送風装置を提供することができる。
【図面の簡単な説明】
【００１５】
【図１】本実施の形態１に係る送風装置１を示す斜視図である。
【図２】図１の送風装置１の模式断面図である。
【図３】図２に示す送風ユニット２Ｂを示す外観図である。
【図４】図１の送風装置１が備えるパネル部８を説明する図である。
【図５】図１の送風装置１のリモートコントローラ７を示す図である。
【図６】送風装置１の側面側から見た場合における風向調整部２０Ａを介して吹き出される空気流５を示す模式図である。
【図７】送風装置１の上面側から見た場合における風向調整部２０Ｂを介して吹き出される空気流６を示す模式図である。
【図８】本実施の形態１の送風装置１から吹き出される空気流が室内に拡散される様子を示す図である。
【図９】本実施の形態１に係る制御部１０の構成の具体例を示すブロック図である。
【図１０】本実施の形態１に係る記憶情報の一例を示す図である。
【図１１】本実施の形態１に係る送風装置１の動作を示すフローチャートである。
【図１２】図１１のステップＳ５の処理の一例を示すフローチャートである。
【図１３】図１１のステップＳ５の処理の他の例を示すフローチャートである。
【図１４】本実施の形態２に係る送風制御のフローチャートである。
【発明を実施するための形態】
【００１６】
以下、本発明の実施の形態について、図を参照して詳細に説明する。なお、以下に示す実施の形態においては、同一のまたは共通する部分について図中同一の符号を付し、その説明は繰り返さない。
【００１７】
（実施の形態１）
本実施の形態に係る送風装置１は、人感センサにより感知されない場合に、吹き出される気流の送風範囲が床面となるように風向を調整する機能を備える。
【００１８】
図１は、本実施の形態に係る送風装置１を示す斜視図である。図２は、図１の送風装置１の模式断面図である。図３は、図２に示す送風ユニットの一例を示す外観図である。図４は、図１の送風装置１が備えるパネル部８を説明する図である。図５は、図１の送風装置１のリモートコントローラ７を示す図である。図１から図５を参照して、本実施の形態に係る送風装置１について説明する。
【００１９】
図１と図２を参照して、送風装置１は、送風装置１を全体的に制御するための制御部１０、送風ユニット２Ａ，２Ｂ（図２参照）、および当該送風ユニット２Ａ，２Ｂを収容する筐体９とを備える。
【００２０】
筐体９は、上下方向（図中Ｚ軸方向）に沿って並んで配置されている送風ユニット２Ａ，２Ｂ（図２参照）のうち上側に配置される送風ユニット２Ａの一部を収容する収容部１２Ａ、および側面の一方側（右側）に設けられた吸込口１１Ａを含む。吸込口１１Ａは、吸込口１１Ａを通過して吸込む空気を清浄化して内部に取り込むための脱臭フィルタを含む清浄フィルタ（不図示）を備える。
【００２１】
筐体９の正面側には、パネル部８、開口部１４，１５が設けられている。開口部１４は、収容部１２Ａの正面側に位置し、開口部１５は、筐体９の正面側の略中央に位置する。開口部１４は、正面側から見た場合に略上下方向（Ｚ軸方向）に延在する長辺と略左右方向（図中Ｘ軸方向）に延在する短辺とを有する。開口部１５は、正面から見た場合に略上下方向に延在する短辺と左右方向に延在する長辺とを有する。
【００２２】
開口部１４，１５の長辺側からは、後述する風向調整ユニット３Ａ，３Ｂが、送風下流側（図中Ｙ軸負方向）に向けて突出している。
【００２３】
図２に示すように、送風ユニット２Ａは、送風機５１Ａ、送風ダクト５３Ａ、イオン発生器６０Ａ、吹出ダクト１００Ａ、吹出口１００Ａ１、および風向調整ユニット３Ａを含む。送風ユニット２Ｂは、送風機５１Ｂ、送風ダクト５３Ｂ、イオン発生器６０Ｂ、吹出ダクト１００Ｂ、吹出口１００Ｂ１、および風向調整ユニット３Ｂを含む。
【００２４】
以下、送風ダクト５３Ａおよび送風ダクト５３Ｂを特に区別しない場合は、これらを送風ダクト５３と称し、吹出ダクト１００Ａおよび吹出ダクト１００Ｂを特に区別しない場合は、これらを吹出ダクト１００と称する。
【００２５】
また、イオン発生器６０Ａとイオン発生器６０Ｂとを特に区別しない場合は、これらをイオン発生器６０と称し、風向調整ユニット３Ａおよび風向調整ユニット３Ｂを特に区別しない場合は、これらを風向調整ユニット３と称する。
【００２６】
送風機５１Ａ，５１Ｂは、吸込口１１Ａから送風装置１外部の空気を取り込み、取り込んだ空気を送風ダクト５３Ａ，５３Ｂに向けて送出する。送風機５１Ａと送風機５１Ｂとは、それぞれの送風機の回転軸が互いに平行となるように設けられている。送風機５１Ａおよび送風機５１Ｂとしては、シロッコファン、プロペラファン、ターボファン形式の送風機を採用することができる。
【００２７】
吹出ダクト１００は、イオン発生器６０を介して送風ダクト５３に接続されている。イオン発生器６０には、送風空間（不図示）が形成されており、この送風空間によって吹出ダクト１００と送風ダクト５３とが連通している。
【００２８】
このように、吹出ダクト１００Ａ，１００Ｂと送風ダクト５３Ａ，５３Ｂとを接続することにより、送風経路５２Ａ，５２Ｂを規定するダクト４Ａ，４Ｂが構成される。ここで、ダクト４Ａおよびダクト４Ｂを特に区別しない場合は、これらをダクト４と称する。なお、吹出ダクト１００と送風ダクト５３が一体に形成されることによりダクト４が構成されていてもよい。
【００２９】
吹出口１００Ａ１は、送風下流側における吹出ダクト１００Ａの開口端によって規定される。吹出口１００Ａ１は、送風機５１Ａから送風された空気を外部に向けて吹き出す。吹出口１００Ａ１の送風下流側には、風向調整ユニット３Ａが設けられている。風向調整ユニット３Ａは、吹出ダクト１００Ａの開口端部近傍に接続される。
【００３０】
吹出口１００Ｂ１は、送風下流側における吹出ダクト１００Ｂの開口端によって規定される。吹出口１００Ｂ１は、送風機５１Ｂから送風された空気を外部に向けて吹き出す。吹出口１００Ｂ１の送風下流側には、風向調整ユニット３Ｂが設けられている。風向調整ユニット３Ｂは、吹出ダクト１００Ｂの開口端部近傍に接続される。
【００３１】
送風ユニット２Ａにおいて、イオン発生器６０Ａ側に位置する送風ダクト５３Ａの開口部は、図中ＤＲ１方向が長手方向、図中Ｘ軸方向が短手方向となるように形成されている。これに対応して吹出口１００Ａ１も図中ＤＲ１方向が長手方向、図中Ｘ軸方向が短手方向となるように形成されている。すなわち、吹出口１００Ａ１は、その法線方向から見た場合に略矩形形状を有する。
【００３２】
送風ユニット２Ｂにおいて、イオン発生器６０Ｂ側に位置する送風ダクト５３Ｂの開口部は、図中ＤＲ２方向が短手方向、図中略Ｘ軸方向が長手方向となるように形成されている。これに対応して吹出口１００Ｂ１も図中Ｘ軸方向が長手方向、図中ＤＲ２方向が短手方向となるように形成されている。すなわち、吹出口１００Ｂ１は、その法線方向から見た場合に略矩形形状を有する。
【００３３】
なお、ＤＲ１方向およびＤＲ２方向がＸＺ平面に対して傾斜した場合を例示しているが、これに限定されず、ＸＺ平面に平行であってもよい。また、ＤＲ１方向とＤＲ２方向とは、ＸＺ平面に対する傾斜角が異なるように設定されてもよく、同じになるように設定されてもよい。
【００３４】
吹出ダクト１００Ｂは、正面から見た場合に、その長手方向が吹出ダクト１００Ａの長手方向に交差するように、送風ダクト５３Ｂに接続されている。これにより、風向調整ユニット３Ｂにおいても、正面から見た場合に、その長手方向が風向調整ユニット３Ａの長手方向に交差するように吹出ダクト１００Ｂに取り付けられている。
【００３５】
たとえば、正面から見た場合に、吹出ダクト１００Ｂの長手方向と吹出ダクト１００Ａの長手方向とは略直交し、風向調整ユニット３Ｂの長手方向と風向調整ユニット３Ａの長手方向とは略直交する。
【００３６】
図１および図２に示すように、吹出ダクト１００Ａ，１００Ｂ内には、防護網１８Ａ，１８Ｂが配置されている。防護網１８Ａ，１８Ｂは、吹出口１００Ａ１および吹出口１００Ｂ１の送風上流側に配置されている。防護網１８Ａ，１８Ｂは、外部から指などの異物が進入するのを防ぐために設けられている。
【００３７】
図２に示すように、イオン発生器６０は、イオンを発生させ、送風機によって送風される空気に対してイオンを放出する。放出されたイオンは、ダクト４中を通り吹出口１００Ａ１および吹出口１００Ｂ１から外部に吹出される。イオン発生器６０は、ダクト４に対して着脱自在に取り付けられる。また、イオン発生器６０Ａは、長手方向がＤＲ１方向に沿うようにダクト４Ａに組み付けられ、イオン発生器６０Ｂは、長手方向がＸ軸に沿うようにダクト４Ｂに組み付けられる。
【００３８】
図３は、図２に示す送風ユニットの一例を示す外観図である。具体的には、図３は、図２に示す送風ユニット２Ｂを示す外観図である。図３を参照して、送風ユニット２Ｂにおける風向調整ユニット３Ｂの詳細について説明する。
【００３９】
図３に示すように、風向調整ユニット３Ｂは、風向調整部２０Ｂ、漏気防止部８１Ｂ，８２Ｂおよび駆動部７０を含む。風向調整ユニット３Ｂは、吹出ダクト１００Ｂに回動可能に取り付けられている。また、駆動部７０に関連して回動量を検出するためのフォトセンサ部７０Ｂを含む。なお、フォトセンサを用いた回動量の検出に代替して、ロータリーエンコーダを用いてもよい。
【００４０】
風向調整部２０Ｂは、互いに離間して対向配置される風向調整板２１Ｂおよび風向調整板２２Ｂと、これらの基端部２１ｂ，２２ｂの一端側同士および他端側同士を風向調整板２１Ｂおよび風向調整板２２Ｂが並ぶ方向に亘って接続する接続部２３Ｂとを含む。
【００４１】
風向調整板２１Ｂおよび風向調整板２２Ｂは、送風下流側に向かうにつれて風向調整板２１Ｂと風向調整板２２Ｂとの間の間隔が狭くなるように傾斜して配置されている。風向調整板２１Ｂおよび風向調整板２２Ｂは、送風上流側に位置する基端部２１ｂ，２２ｂの幅に比べて送風下流側に向かうにつれて幅（図中Ｗ１）が狭くなっている。
【００４２】
風向調整板２１Ｂおよび風向調整板２２Ｂは、たとえば、半円形状、半楕円形状、半多角形状に形成され、互いに鏡面対称に形成されていることが好ましい。風向調整板２１Ｂおよび風向調整板２２Ｂは、一定の角度を有するように傾斜して配置されてもよいし、より空気抵抗を低減させるために湾曲して折り曲げられもよいし、段階的に折り曲げられるように構成されていてもよい。
【００４３】
吹出ダクト１００Ｂの開口端部１００Ｂ２における短辺側には、送風下流側に向けて延在する支持部１０１が設けられている。支持部１０１に風向調整部２０Ｂの接続部２３Ｂが回動可能に支持される。
【００４４】
駆動部７０は、吹出口１００Ｂ１の短辺側を規定する吹出ダクト１００Ｂの側面に設けられている。駆動部７０は、風向調整部２０Ｂを風向調整板２１Ｂおよび風向調整板２２Ｂの幅方向と平行な方向に延びる軸線を中心軸として回動させる。具体的には、駆動部７０は、モータ軸を有したステッピングモータ含む。ステッピングモータの回転軸は風向調整部２０Ｂに繋がる軸と連接される。ステッピングモータが回転すると、当該回転に連動して風向調整部２０Ｂが回動する。
【００４５】
ステッピングモータの回転量（角度と方向）に伴う回動は、フォトセンサ部７０Ｂを用いて検出される。フォトセンサ部７０Ｂはフォトカプラを含む。回動により風向調整部２０Ｂの部材がフォトカプラの光路を遮ったとき、フォトカプラは導通状態から非導通状態に切替わる。フォトセンサ部７０Ｂは、フォトカプラの状態切替えを示す信号を制御部１０に出力する。したがって、フォトセンサ部７０Ｂの出力により、風向調整部２０Ｂの回動量を示すことができる。ここでは、フォトセンサ部７０Ｂからの信号がＯＦＦ信号（非導通状態）を示すとき、風向調整部２０Ｂの回動量は初期値を表すものとする。
【００４６】
図２に示すように、風向調整ユニット３Ａは、風向調整部２０Ａ、漏気防止部（不図示）および駆動部（不図示）を含む。風向調整部２０Ａは、風向調整板２１Ａ，２２Ａを含む。風向調整部２０Ａは、風向調整部２０Ｂとは異なる風向調整部であって、且つ異吹出口（吹出口１００Ａ１）の送風下流側に位置する異風向調整部に相当する。なお、風向調整ユニット３Ａの詳細な構成は、風向調整ユニット３Ｂの構成とほぼ同様の構成であるので、ここでは説明を繰返さない。
【００４７】
イオン発生器６０は、図示しない放電電極と誘導電極を有し、電極に高電圧が印加されると、これら電極間にコロナ放電が発生し、プラスイオンおよびマイナスイオンが発生する。電極に印加される電圧信号（電圧値、パルス信号の場合にはパルス幅等）により発生させるイオン量を変化させることができる。これらイオン発生のための構成は公知であるので詳細は繰返さない。
【００４８】
プラスイオンは、主としてＨ＋（Ｈ２Ｏ）ｎから成り、マイナスイオンは主としてＯ２−（Ｈ２Ｏ）ｍから成る。ｎ、ｍは整数である。プラスイオンとマイナスイオンが空気中の浮遊菌や臭気成分の表面に凝集すると、化学反応によって活性種である過酸化水素水Ｈ２Ｏ２または水酸基ラジカル［・ＯＨ］が生成される。過酸化水素や水酸基ラジカルは極めて強力な活性を有するため、浮遊菌や臭気成分は破壊される。
【００４９】
次に、パネル部８について、図４を参照し説明する。パネル部８は、受信部、および液晶ディスプレイからなる表示部を含む。受信部は、人体からの赤外線光を受信する人感センサ８１、およびリモコン（リモートコントローラの略）７からの信号を受信するための受信部８２を有する。ここでは、人感センサ８１は、赤外線を用いた検知方式としているが、これに限定されない。また、リモコン７の通信も赤外線通信に限定されない。
【００５０】
図４を参照して、液晶ディスプレイには、動作モードなど各種情報を報知するために点灯するモードボタン８３、お手入れモードを報知するために点灯するお手入れボタン８４、図示しない温度センサおよび湿度センサにより測定された周囲の温度および湿度を表示するために温度パネル部８５および湿度パネル部８６、ならびにインジケータ８７が表示される。モードボタン８３は、おやすみモード運転のためのおやすみモード情報１２３（後述する）を設定する場合に点灯するボタン８３１を含む。インジケータ８７は、送出される風量、イオン量等を表示するために点灯される。
【００５１】
次に、図５を参照してリモコン７を説明する。リモコン７は、送風装置１に対するユーザ操作を受付けるための操作受付部に相当する。なお、リモコン７と同等の機能が、送風装置１の筐体９に操作パネルとして一体的に設けられてもよい。
【００５２】
リモコン７は、送風装置１を制御するための信号を送信する送信部７１、および制御のための各種指示（コマンド）を送信するために操作されるボタン群を備える。ボタン群は、運転のＯＮ／ＯＦＦ（運転開始／停止）を指示するためのボタン７２、おやすみモード運転を指示するためのボタン７３、風向および風量を調節するためのボタン７４、パネル部８の表示部の明るさ（明るい、暗い、切る）を切換えるためのボタン７５、みはりモードを設定するためのボタン７６、時間設定のためのボタン７７、およびパネル部８の表示情報を切換えるためのボタン７８を含む。
【００５３】
おやすみモード運転は、ユーザが予め設定した制御量（後述する、おやすみモード情報１２３）に従って送風装置１を運転するための動作モードである。例えば、ユーザが就寝前にボタン７３を操作して送風装置１におやすみモードを指示すると、送風装置１はお休みモードに従う動作モードに切替わる。また、みはりモードが指示されると、送風装置１は、周囲環境の温度および湿度を測定し、測定結果を、モードボタン８３を点灯して報知する。
【００５４】
次に、送風装置１による送風の概要を説明する。図６は、送風装置１の側面側から見た場合における風向調整部２０Ａを介して吹き出される空気流５を示す模式図である。図７は、送風装置１の上面側から見た場合における風向調整部２０Ｂを介して吹き出される空気流６を示す模式図である。
【００５５】
図６に示すように、吹出口１００Ａ１から吹き出される空気は、風向調整ユニット３Ａ内の風向調整部２０Ａを通過することにより、吹出方向に対して凸状となる円弧を描くように放射状に広がる。このようにして、風向調整部２０Ａを介して扇形状の空気流５が吹き出される。空気流５は、水平方向（紙面垂直方向）に対して所定の厚さを有しており、正面から見た場合に帯状の形状を有する。このような形状に空気を絞ることにより、空気流５を所定の方向に沿って遠方まで送風することができる。
【００５６】
空気流５は、仮想の中心線５ａを有する。ここで、中心線５ａは、吹出方向に沿って略円弧状に空気流５を区画して分割した場合に、各区画において最も風速が速い部分を吹出方向に沿って結んだ線を指す。
【００５７】
また、図７に示すように、吹出口１００Ｂ１から吹き出される空気は、風向調整ユニット３Ｂ内の風向調整部２０Ｂを通過することにより、吹出方向に対して凸状となる円弧を描くように放射状に広がる。このようにして、風向調整部２０Ｂを介して扇形状の空気流６が吹き出される。空気流６は、上下方向（紙面垂直方向）に対して所定の厚さを有しており、正面から見た場合に帯状の形状を有する。このような形状に空気を絞ることにより、空気流６を所定の方向に沿って遠方まで送風することができる。
【００５８】
空気流６は、仮想の中心線６ａを有する。ここで、中心線６ａは、吹出方向に沿って略円弧状に空気流６を区画して分割した場合に、各区画において最も風速が速い部分を吹出方向に沿って結んだ線を指す。風向調整部２０Ｂの風向調整板２１Ｂの先端部と風向調整板２２Ｂの先端部との間を通過する空気の風速が速くなる傾向がある。この傾向は、風向調整部２０Ａの風向調整板２１Ａ，２２Ａどうしの先端部との間を通過する空気についても同様である。
【００５９】
図８は、本実施の形態の送風装置１から吹き出される空気流が室内に拡散される様子を示す図である。ここでは、風向調整部２０Ｂが回動することにより、室内２００に配置された送風装置１からの空気流６の送風範囲が、床面範囲に相当する場合を示す。
【００６０】
図８では送風装置１は、室内２００の一方の側壁２００ｃ側の中央に設置される。また、送風装置１は、床面２００ｂ上に載置される。送風装置１は、風向調整部２０Ａを介して、設置された側壁２００ｃ側とは反対側に位置する他方の側壁２００ｄに向けて空気流５を吹出す。また、風向調整部２０Ｂを介して、床面２００ｂの方向に向けて空気流６を吹出す。ここでは、床面２００ｂの方向に向けて吹出した空気流６は、床面２００ｂにおいて床面方向に反射する。送風装置１に近い個所では空気流６の風速が速いために反射によって生じる気流も風速が速く広い領域に達する。逆に送風装置１から遠い個所では空気流６の風速が遅いために反射によって生じる気流も風速が遅く狭い領域に留まる。
【００６１】
本実施の形態では、制御部１０は、制御情報１２２（後述する）に基づき、風向調整部２０Ｂの回動を制御する。つまり、空気流６の送風範囲が床面２００ｂとなるように保持しながら、予め定められた速度の回動と停止からなる回動動作が繰返されるように、風向調整部２０Ｂの回動を制御する。具体的には、図８の場合には、異なる回動Ｔ１〜Ｔ５で示す５回の回動動作が実施される。各回の回動動作は、停止と回動（回動Ｔ１〜Ｔ５のいずれかの回動）ならなる。図示されるように、回動Ｔ１〜Ｔ５は、空気流６の吹出し方向が送風装置１から遠ざかる程、その回動量が大きくなるように設定される。なお、ここでは回動動作は５回実施されるとしたが、実施される回動動作の回数は５回に限定されない。
【００６２】
停止時間は送出される気流が床材の隙間などから埃を掻き出す時間となる。さらに気流中にイオンが含まれる場合には、床面近傍に浮遊する浮遊菌やアレルゲンを殺菌または失活させる時間となる。停止時間としては停止動作が確認できる程度でよいが、０．５秒〜１０秒程度が採用される。さらに好ましくは、０．５秒から２秒程度とすればスイング動作の連続性も両立される。
【００６３】
図示されるように、回動Ｔ１〜Ｔ５は、空気流６の吹出し方向が送風装置１から遠ざかる程、その回動量が小さくなるように設定される。なお、ここでは回動動作は５回実施されるとしたが、実施される回動動作の回数は５回に限定されない。
【００６４】
また、回動Ｔ１〜Ｔ５は、空気流６の吹出し方向が送風装置１から遠ざかる程、その回動量が小さくなるように設定されるとしたが、送風装置１から距離が離れるにしたがって、回動量を小さくすることが困難になる。このような制御上の制限を考慮してＴ１＞Ｔ２＞Ｔ３＝Ｔ４＝Ｔ５のように送風装置１から所定距離以上は回動量を同じにしてもよく、すべての回動Ｔ１〜Ｔ５を同じ大きさとしてもよい。
【００６５】
図示するように、風向調整部２０Ａは、当該風向調整部２０Ａを介して吹き出される気流の送風範囲と、床面２００ｂからの矢線６ｂが示す気流の送風範囲とが送風装置１から所定距離離れた開放空間において重なり合うことが可能となるように構成されている。これにより、中心線５ａで示す空気流５および矢線６ｂにより示される床面２００ｂからの反射気流は、送風装置１の前方の床面２００ｂの近傍で交差する。この際、空気流５の送風範囲と矢線６ｂにより示される気流の送風範囲とをより広域で重ならせることができる。
【００６６】
図９は、本実施の形態に係る制御部１０の構成の具体例を示すブロック図である。匡体９内に配置された制御部１０（図２参照）は、駆動部７０、イオン発生器６０、および送風機５１Ａ，５１Ｂと電気的に接続されて、風向調整部２０Ａ，２０Ｂの回動量、イオン発生器６０のＯＮ／ＯＦＦ、送風機５１Ａ，５１Ｂの駆動（ＯＮ／ＯＦＦや回転量）を制御する。
【００６７】
図９を参照して、制御部１０は、ＣＰＵ（Central  Processing  Unit）１０ａ、ＣＰＵ１０ａで実行されるプログラムや設定値などを記憶するためのメモリであるＲＯＭ（Read  Only  Memory）１１、ＲＡＭ（Random  Access  Memory）１２、フォトセンサ部７０Ｂとの間で信号を入出力するためのフォトセンサＩ／Ｆ（インターフェイスの略）１３、リモコン７からの信号を受けるリモコンＩ／Ｆ１４、イオン発生器６０を制御する信号を出力するためのイオン発生器Ｉ／Ｆ１５、送風機５１Ａ，５１Ｂのファンモータおよび駆動部７０のステッピングモータに信号を出力するためのモータＩ／Ｆ１６、人感センサ８１、温度センサおよび湿度センサからの信号を入力するためのセンサＩ／Ｆ１７、およびタイマ１８を含む。ＲＡＭ１２は、ＣＰＵ１０ａがプログラムを実行する際の作業領域、およびデータ／プログラムを記憶するための領域を有する。
【００６８】
図１０は、本実施の形態に係る記憶情報の一例を示す図である。図１０を参照して、ＲＡＭ１２に記憶される情報は、床面方向情報１２１、制御情報１２２、およびおやすみモード情報１２３を含む。これら情報はＲＡＭ１２の書換え可能な不揮発性領域に予め記憶される情報である。なお、床面方向情報１２１、制御情報１２２、およびおやすみモード情報１２３は、風向調整部２０Ｂの回動量を含むが、この回動量は、例えば、上述した初期値からの変位（差分）を用いて示される。
【００６９】
床面方向情報１２１は、風向調整部２０Ｂからの送風範囲が、床面２００ｂの範囲（図８参照）となるような風向調整部２０Ｂの回動量を示す。床面方向情報１２１は、リモコン７の操作によりユーザが可変に設定することができる。
【００７０】
おやすみモード情報１２３は、風向調整部２０Ｂの回動量および空気流６の送風量を含む。おやすみモード情報１２３は、リモコン７のボタン７３をユーザが操作することにより、可変に設定可能な情報である。
【００７１】
制御情報１２２は、送風装置１による制御の対象となる制御量（制御したい量）を表す。具体的には、制御情報１２２は、風向調整部２０Ｂからの送風範囲が床面２００ｂの範囲である場合（図８参照）の制御量を表す複数のレコードＲ１〜Ｒ５を含む。レコードＲ１〜Ｒ５は、図８で示した５回の回動Ｔ１〜Ｔ５についての制御量を示す。制御情報１２２は、リモコン７をユーザが操作することにより、可変に設定することが可能な情報である。したがって、ユーザは、部屋２００内における送風装置１の設置態様に合わせて、回動Ｔ１〜Ｔ５のそれぞれについて、その制御量を可変に設定することができる。
【００７２】
レコードＲｉ（ｉ＝１，２，３，４，５）は、制御量として、回動を停止する期間の長さＡｉ（ｉ＝１，２，３，４，５）、回動量Ｂｉ（ｉ＝１，２，３，４，５）、および空気流６の送風量Ｃｉ（ｉ＝１，２，３，４，５）を含む。送風量Ｃｉは、より好ましくは、停止期間における送風量を示す。本実施の形態では、空気流６の吹出し方向が送風装置１から遠ざかる程、すなわち回動Ｔ１→Ｔ２→Ｔ３…Ｔ５の順に回動量Ｂｉが大きくなり、また、長さＡｉが示す期間は長くなり、また送風量Ｃｉは多くなるように、制御情報１２２が予め設定される。実施の形態では、制御量は、長さＡｉ、回動量Ｂｉおよび送風量Ｃｉの３種類を含むとしたが、これに限定されない。例えば、発生させるイオン量が含まれてもよい。
【００７３】
図８に戻り、制御情報１２２に基づく送風制御について説明する。説明を簡単にするための、空気流５は図６のように送風されていると想定し、風向調整部２０Ｂからの空気流６の制御について説明する。まず、制御部１０（より特定的にはＣＰＵ１０ａ）は、ＲＡＭ１２の制御情報１２２の各制御量に基づき、例えば所定の演算により各部を制御する信号を生成し、生成された制御信号を各部に出力する。制御信号に従い、駆動部７０のステッピングモータおよび送風機の回転等が制御される。これにより、風向調整部２０Ｂからの空気流６の送風範囲を床面２００ｂとなるように保持しながら、空気流６が送風装置１から遠ざかる程、風量を増加させ、またイオンの照射時間を長くして照射量を増やすことができる。
【００７４】
したがって、送風装置１からの距離の遠近にかかわらず空気流６により床面２００ｂ上のホコリを矢線６ｂの方向に効果的に舞い上げることができる。舞い上がった気流に含まれるホコリ等は、吸込口１１Ａの脱臭フィルタを含む清浄フィルタ（不図示）を介して清浄されながら吸込まれる。また床面２００ｂ上のアレルゲンは空気流６のイオンにより失活させることができる。また舞い上がったアレルゲンを、矢線６ｂの空気流および空気流５のイオンにより、不活性化（失活という）させることができる。
【００７５】
ここで、本実施の形態とは異なり、風向調整部２０Ｂを単純にスイングさせて送風する場合を想定する。この場合には、空気流６が散漫して床面２００ｂに効果的に到達しないため矢線６ｂに示すような空気流は生じない。そのために床面２００ｂ上のアレルゲンを舞い上がらせて吸込口１１Ａから吸込むこと、ならびに矢線６ｂの空気流および空気流５のイオンにより失活させることが困難であるとの課題が残る。これに対して、本実施の形態では、制御情報１２２に従い、風向調整部２０Ｂを介して吹き出される空気流６の送風範囲を床面２００ｂとなるように風向調整部２０Ｂの回動量、送風量および照射イオン量が回動Ｔ１〜Ｔ５に伴い段階的に変化するように制御される。したがって、上述したスイング送風に残された課題を解消することができる。
【００７６】
以下に、送風装置１による動作について各フローチャートを参照し説明する。各フローチャートは、予めプログラムとしてＲＯＭ１１に格納される。ＣＰＵ１０ａが、ＲＯＭ１１からプログラムを読出し、読出したプログラムを実行することにより、送風装置１の動作が実現される。
【００７７】
図１１は本実施の形態に係る送風装置１の動作を示すフローチャートである。ＣＰＵ１０ａは、送風装置１の電源がオンされると、風向調整部２０Ａおよび風向調整部２０Ｂによるイオンを含んだ空気流５および６の送風が開始される。このとき、風向調整部２０Ａと２０Ｂは、予め定められた回動量に従って送風が実施される。これにより、図６および図７に示したように、風向調整部２０Ａおよび風向調整部２０Ｂによって上下方向および水平方向に放射状に広がるように絞られた空気を互いに直接衝突させることにより、室内２００内に効率よく当該空気を拡散させることができる。
【００７８】
このような送風状態において、ＣＰＵ１０ａは、人感センサ８１からの出力に基づき、人の存在を感知する。つまり、送風装置１の周囲または図８の部屋２００内に人が居ないか否かを判定する（ステップＳ１）。人が居ると判定される間は（ステップＳ１でＮＯ）、送風状態を維持しながらステップＳ１が繰返される。
【００７９】
一方、人が居ないと判定されると（ステップＳ１でＹＥＳ）、ＣＰＵ１０ａはタイマ１８の出力に基づき、人が居ないと判定される期間が時間Ｔにわたり継続するか否かを判定する（ステップＳ３）。人が居ないと判定される期間が時間Ｔだけ継続しない場合には（ステップＳ３でＮＯ）、ステップＳ１に戻り、以降の処理を繰返す。
【００８０】
一方、人が居ないと判定される期間が時間Ｔにわたり継続したと判定されると（ステップＳ３でＹＥＳ）、ＣＰＵ１０ａは、風向調整部２０Ｂによる床面２００ｂ方向への送風処理を実施する（ステップＳ５）。ステップＳ５の処理の詳細は、後述する。
【００８１】
その後、ＣＰＵ１０ａは人感センサ８１の出力に基づき、人が居るか否かを判定する（ステップＳ９）。人が居ないと判定されると（ステップＳ９でＮＯ）、ＣＰＵ１０ａは送風装置１を停止するか否かを判定する（ステップＳ１１）。例えば、タイマ予約運転の場合には、タイマ１８の出力が予約された停止時間を示すと判定した場合、またはユーザのリモコン７の操作により停止指示を受信した場合には、ＣＰＵ１０ａは停止すると判定する。停止判定がなされると（ステップＳ１１でＹＥＳ）、ＣＰＵ１０ａは各部を停止するように制御し、処理は終了する。停止しないと判定されると（ステップＳ１１でＮＯ）、Ｓ５に戻り、以降の処理が繰返される。
【００８２】
ステップＳ９に戻る。人が居ると判定されると（ステップＳ９でＹＥＳ）、ＣＰＵ１０ａは、風向調整部２０Ｂによる空気流６の送風方向と送風量を、ステップＳ５で変更される前の状態に戻すよう各部を制御する（ステップＳ１３）。なお、このように元の送風状態を示す情報（回動量、送風量等）は、ＲＡＭ１２に格納されており、ＣＰＵ１０ａは当該情報に基づき元の状態に戻す。
【００８３】
その後、ＣＰＵ１０ａは、ステップＳ１１と同様に、送風装置１の運転を停止するか否かを判定する（ステップＳ１５）。停止しないと判定されると（ステップＳ１５でＮＯ）、ステップＳ１に戻る。一方、停止すると判定されると（ステップＳ１５でＹＥＳ）、ＣＰＵ１０ａは各部を停止するように制御し、処理を終了する。
【００８４】
次に、図１１のステップＳ５における床面方向への送風処理の１例を説明する。図１２は、図１１のステップＳ５の処理の一例を示すフローチャートである。図１２を参照して、ＣＰＵ１０ａは、ＲＡＭ１２の床面方向情報１２１に基づき制御信号を生成し、生成された制御信号を駆動部７０のステッピングモータおよび送風機５１Ｂに出力する。ステッピングモータは制御信号に従い回転されて、風向調整部２０Ｂからの空気流６の送風方向は床面２００ｂの方向に切替えられる（ステップＳ５１）。また、送風機５１Ｂの回転速度は最大に変更されて、空気流６による送風量は最大となる（ステップＳ５３）。
【００８５】
これにより、空気流６の送風範囲を床面２００ｂの範囲としながら、最大風量が床面２００ｂに送られる。したがって、周囲に人が居ない期間においては、空気流６により床面２００ｂ上のホコリまたはアレルゲンを最大風量により効果的に舞い上げて、吸込口１１Ａの清浄フィルタを介して清浄しながらの吸込むことができる。また、床面２００ｂから舞い上がったアレルゲンを、矢線６ｂに示す空気流および空気流５のイオンにより効果的に失活させることができる。
【００８６】
図１３は、図１１のステップＳ５の処理の他の例を示すフローチャートである。図１３では、図１２の処理とは異なり、制御情報１２２に従う送風処理が実施される。図１３を参照して、ＣＰＵ１０ａは制御量を決定する（ステップＳ５５）。つまり、ＲＡＭ１２の制御情報１２２に基づきレコードＲ１〜Ｒ５の制御量を読出す。
【００８７】
ＣＰＵ１０ａは、まず、レコードＲ１の制御量に従う制御信号を所定の演算により生成し、生成した制御信号を、駆動部７０のステッピングモータおよび送風機５１Ｂのファンモータに出力する。ステッピングモータは制御信号に従い回転し、風向調整部２０Ｂからの空気流６の送風方向は床面２００ｂの方向に切替えられて回動動作が実施される（ステップＳ５７）。この回動動作における停止期間の長さは、当該レコードＲ１の長さＡ１で規定される。
【００８８】
例えば、各回動量Ｂｉは、駆動部７０のステッピングモータのステップ数を用いて示される。ＣＰＵ１０ａは、ステップ数に従うパルス信号を生成し、生成されたパルス信号（制御信号）をステッピングモータに出力する。これにより、ステッピングモータが回動量Ｂｉに従う角度だけ回転し、これに連動して、風向調整部２０Ｂが回動する。
【００８９】
長さＡ１の期間が経過すると、ＣＰＵ１０ａは次位のレコードＲ２の制御量に従い各部を制御する（ステップＳ５５、Ｓ５７）。この回動動作における停止期間の長さは、当該レコードＲ２の長さＡ２である。以降は、同様にして、レコードＲ３、Ｒ４およびＲ５について制御が実施される。
【００９０】
なお、ここでは、レコードＲ１の制御量に従う送風から開始するとしたが、開始するレコードはレコードＲ１に限定されない。また、レコードＲ１から処理を開始してレコードＲ５まで処理が実施されたときは、逆に、レコードＲ５→Ｒ４→Ｒ３→Ｒ２→Ｒ１と逆方向に戻るように送風制御が実施される。
【００９１】
これにより、風向調整部２０Ｂからの空気流６の送風範囲を床面２００ｂとなるように保持しながら、送風装置１からの距離の遠近にかかわらず空気流６により床面２００ｂ上のホコリを効果的に舞い上げて、吸込口１１Ａからホコリを吸込むことができる。また、舞い上がったアレルゲンを矢線６ｂに示す空気流および空気流５のイオンにより失活させることができる。
【００９２】
なお、ステップＳ５において、図１２または図１３のいずれの処理を実施するかは、リモコン７のユーザ操作内容に従い決定される。または、リモコン７のユーザ操作内容に従い、図１２と図１３の処理を組合わせて実施するとしてもよい。
【００９３】
（実施の形態２）
実施の形態２では、リモコン７のおやすみモードのボタン７３が操作された場合の、おやすみモード運転による送風制御を説明する。図１４は、実施の形態２に係る送風制御のフローチャートである。図１４を参照して、ＣＰＵ１０ａは、ボタン７３の操作による指示を受信すると、図１４の処理を開始する。
【００９４】
まず、ＣＰＵ１０ａは、ＲＡＭ１２のおやすみモード情報１２３に基づき、所定の演算により制御信号を生成し、生成した制御信号を駆動部７０のステッピングモータおよび送風機５１のファンモータに出力する（ステップＳ１７）。これにより、風向調整部２０Ｂからは、おやすみモード情報１２３により指定される方向および風量の空気流６が送風される。
【００９５】
その後、ＣＰＵ１０ａは、パネル部８の表示部の明るさを暗くするように変更する（ステップＳ１９）。例えば、図４の各種のボタンおよび情報の表示を消去（消灯）する。その後、ＣＰＵ１０ａは、おやすみモードを終了するか否かを判定する（ステップＳ２３）。終了の判定は、リモコン７からの指令の受信による判定、またはタイマ予約の場合にはタイマ１８の出力を用いた判定を含む。
【００９６】
おやすみモードの終了が判定されない間は（ステップＳ２３でＮＯ）、ステップＳ２３が繰返されて、おやすみモードに従う送風制御が実施される。おやすみモード終了と判定されると（ステップＳ２３でＹＥＳ）、おやすみモードの処理は終了する。
【００９７】
実施の形態２によれば、おやすみモード情報１２３をユーザの好みに設定することにより、例えば、就寝時は、風向調整部２０Ｂからの空気流６の送風方向をユーザのベッド方向とは異なる方向に設定し、送風量も少なく（送風音を抑える）することが可能となる。
【００９８】
なお、実施の形態２のおやすみモードでは、風向調整部２０Ｂの空気流６の送風制御のみを説明したが、風向調整部２０Ａの空気流５についても、おやすみモード情報１２３に従い、ユーザ好みの送風方向および送風量となるように制御してもよい。
【００９９】
また、おやすみモードの開始の判定は、リモコン７から受信する指示による判定に限定されない。例えば、送風装置１に室内２００の明るさ／暗さを計測する照度センサを設けた場合には、ＣＰＵ１０ａは、照度センサの出力からおやすみモードの開始を判定するとしてもよい。
【０１００】
（実施の形態３）
実施の形態３では、実施の形態１と２の変形例を説明する。実施の形態１と２では、空気流５の風速と空気流６の風速とは同じであってもよいし、異なっていてもよい。空気流５の風速と空気流６の風速を調整することにより、空気を拡散させる領域を拡大させることができる。たとえば、空気流５の風速を空気流６よりも速くした場合には、空気流５が床面２００ｂ側に空気流６を押し広げる力が強くなり、床面２００ｂ側により空気を拡散させることができる。これにより、上述したホコリの舞い上げおよびイオンによる失活を効果的に実施することができる。
【０１０１】
また、制御情報１２２は、床面の種類（たたみ/フローリング、じゅうたん等）毎にＲＡＭ１２に格納されて、送風装置１が設置された床面２００ｂの種類に応じて、対応の制御情報１２２を用いるようにしてもよい。
【０１０２】
また、実施の形態１と２においては、送風装置１は、複数の吹出口の全てからイオンが放出されるように構成される場合を例示して説明したが、これに限定されず、少なくとも１つの吹出口からイオンが放出されるように構成されていてもよい。
【０１０３】
また、図１１〜図１４のフローチャートに従う送風機能は、送風装置１のような床置き装置に限定されず、壁掛けタイプのエアコンディショナ等の空調機器一般に搭載することもできる。
【０１０４】
（実施の形態の構成）
（１）送風装置（１）は、外部に向けて空気を吹き出す吹出口（１００Ｂ１）と、吹出口に位置する風向調整部（２０Ｂ）と、吹出口に空気を送風する送風機と、送風機によって送風される空気に対してイオンを放出するイオン発生器と、人感センサ（８１）と、送風機および風向調整部を制御する制御部（１０）と、を備え、風向調整部は、吹出方向が変化するように回動可能に構成される。
【０１０５】
制御部は、人感センサにより人の存在が感知されない場合に、予め定めた回動量に従い、吹き出される気流の送風範囲が外部の床面となるように風向調整部の回動を制御する。これにより、人感センサにより感知されない場合に、吹き出される気流の送風範囲を床面とすることができる。
【０１０６】
（２）制御部は、回動および停止からなる回動動作を繰返すように、風向調整部の回動を制御する（図８参照）。したがって、人感センサにより感知されない場合に、吹き出される気流の送風範囲を床面としながら、送風方向を繰返し変更することができる。
【０１０７】
（３）制御部は、可変である制御量に従い、回動動作を繰返すように風向調整部の回動を制御する。したがって、各回動動作において、異なる制御量に従う送風動作を実施することができる。
【０１０８】
（４）回動動作ごとに、制御量が可変に設定される。
（５）制御量は、停止の期間の長さ、回動量、および風向調整部を介して吹き出される送風量のうちの少なくとも１つを含む。したがって、これらの制御量を可変にして送風動作を実施することができる。
【０１０９】
（６）送風量は、繰返される各回動動作の停止期間において吹き出される送風量を含む。したがって、回動が停止している期間において、床面に吹出される送風量を可変にすることができる。
【０１１０】
（７）制御部は、予め指定された床面の種類に基づき、制御量を変化させる。したがって、床面の種類に応じた送風制御が可能となる。
【０１１１】
（８）送風装置（１）は、吹出口とは異なる異吹出口（１００Ａ１）であって、且つ外部に向けて空気を吹き出す異吹出口（１００Ａ１）と、風向調整部とは異なる異風向調整部（２０Ａ）であって、且つ異吹出口の送風下流側に位置する異風向調整部（２０Ａ）と、をさらに備える。送風機は、異吹出口に空気を送風する。異風向調整部は、当該異風向調整部を介して吹き出される気流の送風範囲と、床面からの気流の送風範囲とが開放空間において重なり合うことが可能となるように構成されている。
【０１１２】
したがって、床面方向への送風により床面から舞い上がる気流と、異吹出口（１００Ａ１）からの別の気流とを、開放空間において重なり合わせることができる。
【０１１３】
（９）送風装置（１）に対するユーザ操作を受付けるための操作受付部（リモコン７）を、さらに備え、ユーザ操作は、予め定められた動作モード（おやすみモード）における回動量を設定する操作を含む。したがって、おやすみモードにおける回動量をユーザが可変に設定することができる。
【０１１４】
（１０）ユーザ操作は、予め定められた動作モードの開始を指示するための操作を含む。したがって、ユーザは、送風装置に対して、おやすみモードの開始を指示することができる。
【０１１５】
（１１）送風装置（１）は、外部に向けて空気を吹き出す吹出口（１００Ｂ１）と、吹出口の送風下流側に位置する風向調整部（２０Ｂ）と、吹出口に空気を送風する送風機と、送風機によって送風される空気に対してイオンを放出するイオン発生器（６０）と、人感センサ（８１）と、送風機および風向調整部を制御する制御部（１０）と、を備える。風向調整部は、吹出方向が変化するように回動可能に構成される。
【０１１６】
制御部は、人感センサにより感知されない場合に、外部の床面の方向に対応した回動量に従い、吹き出される気流の送風範囲が床面となるように保持しながら、回動および停止からなる回動動作が繰返されるように、風向調整部の回動を制御する（図８参照）。したがって、人感センサにより感知されない場合に、吹き出されるイオンを含んだ気流の送風範囲を床面としながら、送風方向を繰返し変更することができる。
【０１１７】
（１２）上記の風向調整部（２０Ｂ）は、互いに離間して対向配置される第１風向調整板（２１Ｂ）および第２風向調整板（２２Ｂ）を含み、第１風向調整板および第２風向調整板は、送風下流側に向かうにつれて第１風向調整板と第２風向調整板との間の間隔が狭くなるように傾斜して配置されており、第１風向調整板および第２風向調整板は、送風上流側に位置する基端部の幅に比べて送風下流側に向かうにつれて幅（Ｗ１）が狭くなっている。これにより、吹出される空気流は、正面から見た場合に帯状の形状を有する。このような形状に空気を絞ることにより、空気流を床面の方向に沿って遠方まで送風することができる。
【０１１８】
以上、本発明の実施の形態および実施例について説明したが、今回開示された実施の形態および実施例はすべての点で例示であって制限的なものではない。本発明の範囲は特許請求の範囲によって示され、特許請求の範囲と均等の意味および範囲内でのすべての変更が含まれる。
【符号の説明】
【０１１９】
１  送風装置、２Ａ，２Ｂ  送風ユニット、３，３Ａ，３Ｂ  風向調整ユニット、５，６  空気流、５ａ，６ａ  中心線、６ｂ  矢線、７  リモートコントローラ、８  パネル部、１０  制御部、１１Ａ  吸込口、２０Ａ，２０Ｂ  風向調整部、５１，５１Ａ，５１Ｂ  送風機、６０，６０Ａ，６０Ｂ  イオン発生器、７０  駆動部、７０Ｂ  フォトセンサ部、７１  送信部、８１  人感センサ、８２  受信部、１００Ａ１，１００Ｂ１  吹出口、１２１  床面方向情報、１２２  制御情報、１２３  モード情報、２００  室内、２００ａ  天井面、２００ｂ  床面、２００ｃ，２００ｄ  側壁、Ａｉ  長さ、Ｂｉ  回動量、Ｃｉ  送風量、Ｒｉ  レコード。
【図１】
2016090164.tif 000003
【図２】
2016090164.tif 000004
【図３】
2016090164.tif 000005
【図４】
2016090164.tif 000006
【図５】
2016090164.tif 000007
【図６】
2016090164.tif 000008
【図７】
2016090164.tif 000009
【図８】
2016090164.tif 000010
【図９】
2016090164.tif 000011
【図１０】
2016090164.tif 000012
【図１１】
2016090164.tif 000013
【図１２】
2016090164.tif 000014
【図１３】
2016090164.tif 000015
【図１４】
2016090164.tif 000016